(57)【要約】【課題】本発明の課題は、被処理水の生物処理に利用する撹拌システムにおいて、生物処理された処理水の水質を維持しつつ、撹拌に使用する電力を低減することである。【解決手段】上記課題を解決するために、撹拌羽根を有する撹拌機と、被処理水を撹拌羽根により撹拌するための撹拌槽と、撹拌槽内の微生物の混合状態または処理水の水質を計測する計測手段と、計測手段の計測値に基づいて撹拌羽根の回転数を制御する回転数制御部と、を備えた撹拌システムを提供する。これにより、良好な混合状態又は水質の場合には、一時的に回転数を停止あるいは低下し、混合状態又は水質は悪化した場合には、再び回転数を高めて良好な混合状態を維持するという制御が可能となるため、良好な混合状態時における不要な撹拌が削減され、電力消費量を低減することができる。【選択図】図２
2017094305.tif 000002
【特許請求の範囲】
【請求項１】
被処理水の生物処理に利用する撹拌システムにおいて、
撹拌羽根を有する撹拌機と、
被処理水と微生物を前記撹拌羽根により撹拌するための撹拌槽と、
前記撹拌槽内の微生物の混合状態または処理水の水質を計測する計測手段と、
前記計測手段の計測値に基づいて前記撹拌羽根の回転数を制御する回転数制御部と、を備えたことを特徴とする撹拌システム。
【請求項２】
前記回転数制御部は、所定の回転数で撹拌羽根を回転する運転モード、及び、撹拌羽根の回転を停止する停止モードを実行することを特徴とする請求項１に記載の撹拌システム。
【請求項３】
前記計測手段は、撹拌槽内の下部に設置された微生物濃度を計測する微生物濃度計、または、汚泥界面の水位を計測する汚泥界面計測器であることを特徴とする請求項１又は２に記載の撹拌システム。
【発明の詳細な説明】
【技術分野】
【０００１】
本発明は、被処理水を撹拌羽根により撹拌する撹拌槽を備えた撹拌システムに関する。更に詳しくは、撹拌羽根の回転数を制御することにより電力消費量が低減された撹拌システムに関する。
【背景技術】
【０００２】
食品工場の排水や下水等の有機性廃水の浄化処理として、微生物による生物処理が利用されている。生物処理では、有機性廃水に含まれる有機物が微生物により分解され、所定の水質となるように有機性廃水を処理する。
【０００３】
生物処理が施されている間、有機性廃水は、有機物と微生物との接触量を増加させるために、撹拌羽根を有する撹拌機により撹拌されている。例えば、特許文献１には、嫌気性処理方法において、撹拌羽根が撹拌槽の底部に配置された撹拌手段を用いて、撹拌羽根の末端から径方向外側に１０ｃｍ離れた位置での流速が０．３ｍ／秒を超え０．８ｍ／秒以下となるように有機性廃水を撹拌する方法が記載されている。
【先行技術文献】
【特許文献】
【０００４】
【特許文献１】特開２０１２−５５８３７号公報
【発明の概要】
【発明が解決しようとする課題】
【０００５】
従来、生物処理に利用される撹拌システムでは、良好な混合状態となるように撹拌羽根の回転数を設定すると、その後、特段の制御することなく一定の回転数で撹拌羽根の回転を継続している。そのため、長時間稼働により多量の電力を消費している。
本発明は、有機性廃水等の被処理水を生物処理するための撹拌システムにおいて、処理水の水質を維持しつつ、撹拌に使用する電力の低減を目的とする。
【課題を解決するための手段】
【０００６】
本発明者は、上記の課題について鋭意検討した結果、撹拌槽内の微生物の混合状態又は処理水の水質を計測しながら、この計測値に基づいて撹拌羽根の回転数を制御することにより、処理水の水質を維持しつつ撹拌に使用する電力を低減できることを見出して、本発明を完成した。
具体的には、以下の撹拌システムである。
【０００７】
上記課題を解決するための本発明の撹拌システムとは、被処理水の生物処理に利用する撹拌システムにおいて、撹拌羽根を有する撹拌機と、被処理水と微生物を前記撹拌羽根により撹拌するための撹拌槽と、前記撹拌槽内の微生物の混合状態又は処理水の水質を計測する計測手段と、前記計測手段の計測値に基づいて前記撹拌羽根の回転数を制御する回転数制御部と、を備えたことを特徴とする。
【０００８】
従来の撹拌システムでは、良好な混合状態を得るための所定の回転数で撹拌羽根を回転させ、その後は特段の制御を行っていない。しかしながら、良好な混合状態に至ると、その後撹拌を停止又は低下させても、被処理水の流動によって微生物の混合状態が一時的に保たれている。
本発明の撹拌システムによれば、微生物の混合状態又は処理水の水質を計測する計測手段と、この計測値に基づいて撹拌羽根の回転数を制御する回転数制御部を備えているため、良好な混合状態又は水質の場合には、一時的に回転数を停止あるいは低下し、混合状態又は水質は悪化した場合には、再び回転数を高めて良好な混合状態を維持するという制御が可能となる。
これにより、良好な混合状態時における不要な撹拌力が削減されるため、電力消費量を低減することができる。
【０００９】
更に本発明の撹拌システムは、回転数制御部は、所定の回転数で撹拌羽根を回転する運転モード、及び、撹拌羽根の回転を停止する停止モードを実行するという特徴を有する。
この特徴によれば、良好な混合状態又は水質の場合には、撹拌羽根の回転を停止する停止モードが実行され、撹拌に係る電力の供給を停止するため、電力消費量を最大限に削減することができる。
また、停止モードを実行することにより、撹拌システムの総運転時間を減少することができる。そのため、モーター等の寿命が延びるという効果も有する。
【００１０】
更に本発明の撹拌システムは、計測手段は、撹拌槽内の下部に設置された微生物濃度を計測する微生物濃度計、又は、汚泥界面の水位を計測する汚泥界面計測器であるという特徴を有する。
微生物濃度計又は汚泥界面計測器は、撹拌羽根の回転数の変化に対して応答が素早く、変化量も大きいため、混合状態の制御として優れた計測手段である。また、これらの計測器を用いることにより、処理水の水質が変化する前に混合状態の悪化を検知可能であるため、処理水の変動幅を小さくすることができる。
【発明の効果】
【００１１】
本発明の撹拌システムによると、生物処理における処理水の水質を維持しつつ、撹拌に使用する電力を低減することができる。
【図面の簡単な説明】
【００１２】
【図１】本発明の第１の実施例の撹拌システムを適用した下水処理設備の構造を示す概略説明図である。
【図２】本発明の第１の実施例の撹拌システムの構造を示す概略説明図である。
【図３】本発明の撹拌システムの撹拌羽根の回転数制御と、それに伴う混合状態又は水質の変動を表すグラフである。（Ａ）は、制御された撹拌羽根の回転数を示すグラフである。（Ｂ）は、撹拌羽根の回転数を停止してから経時的に変化するＭＬＳＳの変動を表すグラフである。（Ｃ）は、撹拌羽根の回転数を停止してから経時的に変化する汚泥界面の水位の変動を表すグラフである。（Ｄ）は、撹拌羽根の回転数を停止してから経時的に変化する水質（ＣＯＤMn、ＴＯＣ、ＢＯＤ）の変動を表すグラフである。
【図４】本発明の第１の実施例の撹拌システムの回転数制御部における制御のフローを表す概略説明図である。
【図５】本発明の第２の実施例の撹拌システムの構造を示す概略説明図である。
【図６】本発明の第３の実施例の撹拌システムの構造を示す概略説明図である。
【発明を実施するための形態】
【００１３】
以下では、この発明の実施形態を、添付図面を参照して詳細に説明する。
なお、本明細書において、本発明の撹拌システムの各構成についての説明は、対応する撹拌方法あるいは撹拌システムの制御方法が記載されているものとする。
【００１４】
［第１の実施例］
図１は、本発明の第１の実施例の撹拌システムを適用した下水処理設備１０の構造を示す概略説明図である。
下水処理設備１０は、紙面左から第１生物処理槽から第８生物処理槽の８つの生物処理槽により構成されており、第１、第３、第５、第７生物処理槽は、本発明の撹拌システムを備えた嫌気処理槽からなる。また、第２、第４、第６、第８生物処理槽は、散気装置を備えた好気処理槽を構成している。なお、本発明の撹拌システムは、嫌気処理槽、好気処理槽のいずれに適用してもよく、また、１つ又は複数の生物処理槽に適用してもよい。
下水Ｗは第１生物処理槽に供給され、嫌気処理及び好気処理を交互に施されて第８生物処理槽から排出される。
【００１５】
本発明の撹拌システムは、被処理水と微生物を撹拌するための撹拌システムであり、例えば、被処理水を生物学的に浄化するための水処理設備に利用される。水処理設備としては、例えば、食品工場、化学工場、製紙工場等からの有機性廃水を生物処理する汚水処理設備や、下水を生物処理する下水処理設備や、汚泥を生物処理する汚泥処理設備等が挙げられる。
【００１６】
生物処理とは、被処理水に含まれる有機物を微生物によって分解する処理である。生物処理に利用する微生物の種類は特に制限されず、好気性微生物でも嫌気性微生物でもよい。好気性微生物による生物処理では、曝気処理等により被処理水に対して強い撹拌力が供給されるが、嫌気性微生物による生物処理では、曝気処理のような強い撹拌力を供給するような処理を行わないため、本発明の撹拌システムは、嫌気性微生物による生物処理に使用することが好ましい。
【００１７】
微生物は、被処理水Ｗ０に対して行う処理に合わせて適宜選択され、例えば、有機物を分解してメタンを生成するメタン生成菌や、硝酸・亜硝酸等を窒素に還元する脱窒菌、硫酸等を還元する硫酸還元菌、水素イオンの還元を行う水素生成菌等が挙げられる。
微生物の形態は特に制限されず、例えば、比重の小さい浮遊菌でも、比重の大きいグラニュール汚泥等でもよい。
【００１８】
図２は、第１の実施例の撹拌システム１Ａを示す概略説明図である。
図２に図示するように、本発明の撹拌システム１Ａは、被処理水Ｗ０を貯留し、微生物と混合するための撹拌槽２と、撹拌羽根３を有する撹拌機４と、撹拌槽２内の微生物の混合状態を計測するための計測手段として微生物濃度計６と、微生物濃度計６の計測値に基づいて撹拌羽根３の回転数を制御する回転数制御部５を備えている。
【００１９】
次に、本発明の撹拌システム１Ａの各構成について説明する。
（撹拌槽）
撹拌槽２は、被処理水Ｗ０を貯留し、微生物と混合するための構成である。本発明の第１の実施例では、被処理水Ｗ０は撹拌槽２の下部から供給され、撹拌槽２の内部で生物処理されて処理水Ｗ１として撹拌槽２の上部から流出する。このように、被処理水Ｗ０の供給及び処理水Ｗ１の流出は連続的に行われ、被処理水Ｗ０は撹拌槽２の内部に一時的に貯留されている。
【００２０】
なお、被処理水Ｗ０の供給の方式としては、特に制限されず、第１の実施例のように被処理水Ｗ０の供給を連続的に行う連続式でも、被処理水Ｗ０の供給を断続的に行うバッチ式でもよい。水処理設備のように多量の被処理水を処理する場合には、連続式で行うことが好ましい。
【００２１】
被処理水の供給及び排出のための流路は、撹拌槽２のいずれに設置してもよい。第１の実施例では、供給路を下部、流出路を上部に設置しているが、供給路及び流出路のいずれも上部に設置したり、供給路を上部、流出路を下部に設置したりしてもよい。
なお、第１の実施例のように供給路を下部、流出路を上部に設置すると、撹拌槽２の内部を流れる被処理水Ｗ０に上昇流が形成されるため、微生物の沈降分離を抑制することができる。よって、撹拌羽根３の回転を停止又は低下した際に、混合状態又は水質が悪化するまでの時間が増えるため、省電力化において優れた構成となる。
【００２２】
また、撹拌槽２を円筒形状とし、該撹拌槽２の接線方向から被処理水Ｗ０を供給して、螺旋流を形成するように構成してもよい。その際、撹拌羽根３の回転方向と同方向に供給することが好ましい。これにより、撹拌羽根３の回転を停止又は低下した際に、良好な混合状態を長く維持することができる。
【００２３】
（撹拌機）
撹拌機４は、被処理水Ｗ０を撹拌するための撹拌羽根３を備えた構成である。第１の実施例では、撹拌機４は、撹拌槽２の天井部にモーターが設置され、モーターの回転力を撹拌羽根３に伝達するシャフトが天井部より垂下し、該シャフトの下端に撹拌羽根３が取り付けられている。
【００２４】
撹拌機４は、被処理水Ｗ０を撹拌できればどのように設置してもよく、例えば、第１の実施例ようにシャフトを垂直方向に設置した縦型の撹拌機でも、シャフトを水平方向に設置した横型の撹拌機でもよい。
なお、横型の撹拌機は、撹拌槽２の側面にシャフトの貫通孔を形成するため、シール構造を設ける必要がある。これに対して、縦型の撹拌機は簡素な構成とすることができる。
【００２５】
撹拌羽根３の形状は、被処理水Ｗ０を撹拌できれば、どのような形状でもよく、例えば、複数の羽根がシャフトに放射状に取り付けられたプロペラ様の撹拌羽根等がある。
【００２６】
（回転数制御部）
回転数制御部５は、撹拌機４のモーターの回転数を調整することにより、撹拌羽根３の回転数を制御する構成である。また、第１の実施例の回転数制御部５は、撹拌槽２内の微生物の混合状態を計測する微生物濃度計６に接続され、微生物濃度計６の計測値に基づいて撹拌羽根３の回転数を制御している。
【００２７】
本発明の回転数制御部５は、微生物の混合状態又は処理水Ｗ１の水質の計測値に応じて、混合状態又は水質が良好であると判断すれば、撹拌羽根３の回転数を停止又は低下し、混合状態又は水質が悪化していると判断すれば、撹拌羽根３の回転数を増加して良好な混合状態を維持するように制御する。
この制御によれば、撹拌羽根３の回転数を停止又は低下した際に、電力消費量を抑制することができる。また、撹拌羽根３の回転数を停止又は低下している間は、慣性力により形成される被処理水Ｗ０の流れにより一時的に良好な混合状態及び水質が維持される。
【００２８】
ここで、撹拌羽根３の回転数と混合状態及び水質の関係について説明すると、撹拌羽根３の回転数を停止又は低下することにより、徐々に微生物が沈降分離を始めて混合状態が悪化する。そして、混合状態が悪化すると、微生物と被処理水Ｗ０の接触量が減少して、水質の悪化を引き起こすことになる。
【００２９】
本発明の撹拌システムにおける回転数制御では、水質の悪化を抑制しつつ、電力消費量を低減することを目的としている。
そして、水質を維持することを重視して制御する場合には、混合状態を計測する計測手段を利用すればよい。これにより、水質の悪化が生じる前に良好な混合状態に戻すように制御する。
また、電力消費量の低下を重視して制御する場合には、処理水Ｗ１の水質を計測する計測手段を利用すればよい。これにより、水質の変動は多少生じるものの、撹拌羽根３の回転数を停止又は低下する時間が長くなり、電力消費量を低下することができる。
【００３０】
なお、混合状態は、微生物が均等に分布している状態を良好な混合状態とし、微生物が沈降分離して被処理水Ｗ０の上下で濃度分布に差異が大きくなることを混合状態が悪化していると判断する。そして、混合状態を計測する計測手段による制御において、混合状態が良好であるか悪化しているかの判断は、混合状態の計測値と水質の変化の関係性を確認し、オペレータが設定した所定の制御値により判断すればよい。
【００３１】
回転数制御部５における撹拌羽根３の回転数の制御方法は、混合状態又は水質の計測値に応じて回転数を増減する方法であれば、特に制限されない。例えば、所定の回転数で撹拌羽根を回転する運転モードと、撹拌羽根の回転を停止する停止モードを設け、オペレータの設定した所定の混合状態計測値に応じて、運転モードと停止モードを切り替えるオンオフ制御方法や、混合状態計測値に応じて適切な回転数に制御するＰＩＤ制御方法等が挙げられる。
オンオフ制御方法は、停止モードの際に慣性力による被処理水の流動を最大限に利用することができるため、電力消費量の削減において、優れた効果を発揮することができる。
【００３２】
（微生物の混合状態を計測する計測手段）
微生物の混合状態を計測する計測手段としては、微生物の分布の状態を計測する指標となれば、どのような計測器を利用してもよい。例えば、所定の位置に固定された微生物濃度計や、汚泥の沈降界面を計測する汚泥界面計測器等が挙げられる。
【００３３】
第１の実施例では、微生物濃度計６を利用している。微生物濃度計６は、被処理水Ｗ０に含まれる微生物の量又はこの指標となる懸濁物質の量を測定することができる計測手段であり、例えば、活性汚泥浮遊物質（ＭＬＳＳ：Mixed Liquor Suspended Solids）濃度計等が挙げられる。
【００３４】
微生物濃度計６を設置する位置は、特に制限されないが、第１の実施例のように撹拌槽２の底部や、被処理水Ｗ０の水面付近に設置することが好ましい。底部や水面付近では、微生物の沈降分離による濃度変化が素早く生じるため、これらの位置に微生物濃度計を設置することにより、混合状態を計測する計測手段として優れた効果を発揮する。
【００３５】
汚泥界面計測器は、撹拌羽根３の回転数を停止又は低下した際に、微生物が沈降分離して形成された上清層と汚泥層の界面の水位を計測する計測器である。汚泥界面計測器としては、どのような方式のものを使用してもよく、例えば、光学式界面計測器や、超音波式界面計測器等が挙げられる。
【００３６】
（処理水の水質を計測する計測手段）
処理水の水質を計測する手段としては、生物処理により変動する所定の水質を計測するものであれば、どのような計測器を利用してもよい。例えば、化学的酸素要求量（ＣＯＤ：Chemical Oxygen Demand）、生物化学的酸素要求量（ＢＯＤ：Biochemical Oxygen Demand）、全有機炭素（ＴＯＣ：Total Organic Carbon）、全窒素量、硝酸量、亜硝酸量、アンモニウムイオン量、硫酸量等の計測器が挙げられる。ＣＯＤ、ＢＯＤ、ＴＯＣは、ｐＨ等の他の条件の変動の影響が小さく、微生物の混合状態と相関する傾向が認められるため、混合状態を制御するという指標として優れている。
【００３７】
（試験例）
次に、本発明の撹拌システムの回転数制御の一例として、下水処理設備１０の第７生物処理槽（破線で囲む嫌気処理槽）における撹拌羽根の回転数と、微生物の混合状態及び処理水の水質の関係について示した試験例を説明する。なお、この試験例は、本発明の撹拌システムの制御の一例であり、本発明の範囲を制限するものではない。
【００３８】
図３は、本発明の撹拌システムの撹拌羽根の回転数制御と、それに伴う混合状態又は水質の変動を表すグラフである。
（Ａ）は、制御された撹拌羽根の回転数を示すグラフである。撹拌羽根の回転数制御は、１８ｒｐｍで回転する運転モードと、回転を停止する停止モードを実行するオンオフ制御方法である。グラフの縦軸は回転数を示し、横軸は停止モードの開始後の経過時間を示している。
【００３９】
（Ｂ）及び（Ｃ）は、混合状態の変動を表す指標として、底部の隅に設置したＭＬＳＳ計の計測値、汚泥界面の水位を計測する汚泥界面計測器の計測値を示すグラフである。
（Ｂ）は、撹拌羽根の回転数を停止してから経時的に変化するＭＬＳＳの変動を表すグラフである。
（Ｃ）は、撹拌羽根の回転数を停止してから経時的に変化する汚泥界面の水位の変動を表すグラフである。
【００４０】
撹拌羽根の回転を停止すると、ＭＬＳＳは徐々に増加して、運転モードに切り替えると直ちに元の状態に戻ることが示された。また、汚泥界面の水位は徐々に低下して、運転モードに切り替え後、直ちに元の状態に戻ることが示された。
このように、撹拌羽根の回転を停止しても、混合状態は急激に悪化することなく、徐々に分離することが認められた。
【００４１】
次に、（Ｄ）は、処理水の水質の変動を表す指標として、ＣＯＤMn（ＣＯＤMnは、過マンガン酸カリウムを用いた酸性高温過マンガン酸法によるＣＯＤ）、ＴＯＣ、ＢＯＤの計測値を示すグラフである。
【００４２】
これらの水質は、撹拌羽根の回転を停止しても、一定時間は変動がなく、停止モード開始から約４０分間で、ＣＯＤMnとＴＯＣが上昇を始めた。そして、運転モードに切り替えると、約１５分後には元の状態に戻った。
また、ＢＯＤについては、約６０分間で緩やかに上昇を始め、運転モード切り替え後は、上昇が停止した。
この結果、水質による回転数制御として、ＣＯＤMnとＴＯＣの計測値は、比較的素早く元の状態に戻るため、回転数の制御のための指標として優れることが示された。
【００４３】
また、混合状態を示すＭＬＳＳ及び汚泥界面の水位の計測値は、回転の停止に対して水質の指標より早く応答して変動するため、この計測値に基づく回転数制御によれば、水質が変動する前に良好な混合状態を回復できる。よって、混合状態を計測する計測手段は、水質の変動幅を小さく制御する制御方法として優れた効果を発揮する。
【００４４】
水質の変動幅を小さく制御する制御方法の例としては、例えば、ＭＬＳＳの所定値を４０００ｍｇ／Ｌとし、これを超えた場合に運転モードに切り替わるように制御する方法が挙げられる。なお、ＭＬＳＳの計測値は、グラフに示すように、上下に激しく振動しながら上昇しているが、このような場合の所定値の設定としては、一定時間所定値を超えた場合に、運転モードに切り替わるように設定すればよい。
また、他の例としては、例えば、汚泥界面の水位の所定値を９ｍとし、これを下回る場合に運転モードに切り替わるように制御する方法が挙げられる。
【００４５】
このような制御方法によれば、約３０分間の停止モードが確保されるため、電力消費量を低減することができる。更には、処理水の水質の変動が始まる前に良好な混合状態に回復するため、処理水の水質を一定に維持することもできる。
【００４６】
（回転数制御部における制御プログラムの例）
次に、回転数制御部における制御プログラムの一例を説明する。なお、この制御プログラムは、本発明の撹拌システムの制御プログラムの一例であり、本発明の範囲を制限するものではない。
図４は、本発明の第１の実施例の撹拌システム１Ａの回転数制御部５における制御のフローを表す概略説明図である。
【００４７】
図４に示すように、本発明の撹拌システム１Ａの運転を開始すると、撹拌羽根３の回転数が上昇し、運転モードが開始する。運転モードでは、所定の回転数で撹拌羽根３が回転しつつ、微生物濃度計６によりＭＬＳＳが計測されている。そして、計測されたＭＬＳＳが所定の値より小さい場合には、混合状態が良好ではないと判断し、ＭＬＳＳの計測が継続する。一方、計測されたＭＬＳＳが所定の値より大きい場合には、混合状態が良好であると判断し、停止モードを開始する。
【００４８】
停止モードでは、撹拌羽根３の回転が停止される。また、運転モードと同様、微生物濃度計６によりＭＬＳＳが計測され、計測されたＭＬＳＳが所定の値より大きい場合には、混合状態が良好であると判断し、ＭＬＳＳの計測が継続する。一方、計測されたＭＬＳＳが所定の値より小さい場合には、混合状態が良好ではないと判断し、運転モードを開始する。
なお、フローには記載していないが、撹拌システム１Ａの運転を停止することにより、この制御プログラムは終了する。
【００４９】
この制御プログラムによれば、運転モードと停止モードを繰り返すことにより、処理水Ｗ１の水質を維持しつつ、撹拌に使用する電力を低減することができる。
【００５０】
［第２の実施例］
図５は、第２の実施例の撹拌システム１Ｂを示す概略説明図である。
第２の実施例の撹拌システム１Ｂでは、第１の実施例の撹拌システム１Ａの微生物濃度計６に代えて、処理水Ｗ１の水質を計測する水質計測器７を備えた構成である。
【００５１】
水質計測器７に使用する計測器としては、生物処理により変動する所定の水質を計測するものであれば、どのような計測器を利用してもよく、上述したように、ＣＯＤ、ＢＯＤ、ＴＯＣ、全窒素量、硝酸量、亜硝酸量、アンモニウムイオン量、硫酸量等の計測器が挙げられる。
【００５２】
図３の試験例を用いて第２の実施例の撹拌システム１Ｂの制御方法の例を挙げると、例えば、ＣＯＤMnの所定値を６ｍｇ／Ｌとし、これを超えた場合に運転モードに切り替わるように制御する方法が挙げられる。
また、ＴＯＣの所定値を４ｍｇ／Ｌとし、これを超えた場合に運転モードに切り替わるように制御してもよい。
【００５３】
この制御方法によれば、水質はやや変動するものの、約５０分間の停止モードが得られるため、電力消費量の低減に優れた効果が認められる。
【００５４】
［第３の実施例］
図６は、第３の実施例の撹拌システム１Ｃを示す概略説明図である。
第３の実施例の撹拌システム１Ｃでは、第１の実施例の撹拌システム１Ａの微生物濃度計６に加えて、更に汚泥界面の水位を計測する汚泥界面計測器８を備えた構成である。
【００５５】
この撹拌システム１Ｃでは、被処理水Ｗ０の上部と下部において、それぞれ混合状態を計測することができるため、例えば、比重の重い懸濁物が混入して微生物濃度計の値が一時的に高くなるような場合や、比重の軽い着色物質が混入して汚泥界面の計測値ができない場合等のトラブルが生じても、一方の値により正常な撹拌処理が行われるという効果がある。
【産業上の利用可能性】
【００５６】
本発明の撹拌システムは、被処理水と微生物を撹拌するための撹拌システムに利用することができる。例えば、被処理水を生物学的に浄化するための水処理設備として、食品工場、化学工場、製紙工場等からの有機性廃水を生物処理する汚水処理設備や、下水を生物処理する下水処理設備や、汚泥を生物処理する汚泥処理設備等に利用することができる。
【００５７】
また、本発明の撹拌システムは、処理水の水質を維持しつつ、電力消費量を低減する撹拌システムの運転方法に利用することができる。
【符号の説明】
【００５８】
１Ａ，１Ｂ，１Ｃ  撹拌システム、２  撹拌槽、３  撹拌羽根、４  撹拌機、５  回転数制御部、６  微生物濃度計、７  水質計測器、８  汚泥界面計測器、１０  下水処理設備、Ｗ  下水、Ｗ０  被処理水、Ｗ１  処理水、Ｍ  モーター、Ｂ  ブロワ
【図１】
2017094305.tif 000003
【図２】
2017094305.tif 000004
【図３】
2017094305.tif 000005
【図４】
2017094305.tif 000006
【図５】
2017094305.tif 000007
【図６】
2017094305.tif 000008